(57)【要約】【課題】携帯型情報読取装置において、防水性に優れ、且つ部品点数を効果的に削減し得る構成を提供する。【解決手段】携帯型情報読取装置１のケース５０の外壁部５３には、充電端子７０が挿し通される挿通孔５４が形成され、充電端子７０には、板状に構成されると共に少なくとも一部がケース５０の外部に露出して配置される露出部７１と、露出部７１に連結されると共にケース５０の内側に延出して配置される延出部７３,７４とが設けられている。露出部７１は、ケース５０の外壁部５３に支持され、且つ当該外壁部５３の壁面に沿うように板面が配置されている。延出部７３,７４は、露出部７１に対して折り曲げられ、挿通孔５４を介してケース５０の内部に延出している。そして、ケース５０の外側に、挿通孔５４を閉塞する閉塞部材８０が配置されている。【選択図】図４
2011248825.tif 000002
【特許請求の範囲】
【請求項１】
充電可能な電池と、
前記電池を収容するケースと、
前記ケースの外部からの電力を前記電池に供給する経路をなす充電端子と、
を備えた携帯型情報読取装置であって、
前記ケースの外壁部には、前記充電端子が挿し通される挿通孔が形成され、
前記充電端子には、板状に構成されると共に少なくとも一部が前記ケースの外部に露出して配置される露出部と、前記露出部に連結されると共に前記ケースの内側に延出して配置される延出部と、が設けられ、
前記露出部は、前記ケースの前記外壁部に支持され、且つ当該外壁部の壁面に沿うように板面が配置され、
前記延出部は、前記露出部に対して折り曲げられ、前記挿通孔を介して前記ケースの内部に延出しており、
前記ケースの外側に、前記挿通孔を閉塞する閉塞部材が配置されていることを特徴とする携帯型情報読取装置。
【請求項２】
前記露出部は、前記挿通孔から前記外壁部の壁面に沿って所定方向に延びており、
前記閉塞部材は、前記挿通孔と前記露出部の外周縁とを連続的に覆う構成で配置されていることを特徴とする請求項１に記載の携帯型情報読取装置。
【請求項３】
前記ケース内には、外部装置との間で光信号を送受信する光通信素子が設けられ、
前記ケースの前記外壁部には、前記光信号を通過させる通過孔が形成されており、
前記閉塞部材は前記光信号が透過可能な透光部材からなり、且つ前記通過孔を閉塞する構成で配置されており、
前記通過孔及び前記閉塞部材を介して前記光信号を前記ケース内外に導出入可能とされていることを特徴とする請求項１または２に記載の携帯型情報読取装置。
【請求項４】
前記閉塞部材は、少なくとも前記挿通孔の周囲を取り囲む接着部材を介して前記外壁部と密着していることを特徴とする請求項１〜３のいずれか一項に記載の携帯型情報読取装置。
【請求項５】
前記ケースの前記外壁部は、前記閉塞部材が接着される接着面を備えた被接着部と、前記接着面から凹んだ凹部とを備え、
前記凹部内には、前記挿通孔が形成されると共に、前記接着面から段状に奥まった位置に前記露出部を支持する支持面が形成され、
前記露出部における前記支持面側とは反対側の板面の位置が、前記接着面の位置と揃えられており、
前記露出部の前記反対側の板面と前記接着面とに跨るように前記閉塞部材が接着していることを特徴とする請求項１〜４のいずれか一項に記載の携帯型情報読取装置。
【請求項６】
前記ケースは、前記外壁部における前記露出部を支持する支持部分よりもケース内側において、前記支持部分と向かい合って配置される対向壁部を備え、
前記充電端子の前記延出部は、前記露出部に連結される第１延出部と、前記第１延出部に連結される第２延出部とを有し、
前記第２延出部は、前記露出部と向かい合うように前記第１延出部に対して折り曲げられ、前記対向壁部における前記露出部側の面に支持されるように配置されていることを特徴とする請求項１〜５のいずれか一項に記載の携帯型情報読取装置。
【発明の詳細な説明】
【技術分野】
【０００１】
本発明は、携帯型情報読取装置に関するものである。
【背景技術】
【０００２】
携帯型バーコードリーダ等の携帯型情報読取装置は、様々な場所に携帯して使用することを想定しているため、充電可能な電池をケース内に収容した構成が一般的である。この種の携帯型情報読取装置は、充電を繰り返し実施する必要があるため、ユーザの利便性を考慮すると、充電を容易に行い得る構成であることが望ましい。現在では、例えばケース端部に充電端子を露出させて配置しており、携帯型情報読取装置が充電器（置台）に載置されたときに、当該充電端子が充電器の端子と接触し、これにより充電器からの電力が当該充電端子を介してケース内の電池に供給されるといった構成が採用されている。
【０００３】
このような、携帯型情報読取装置等の携帯端末の充電に関する技術としては、例えば、下記特許文献１に示すものが知られている。この特許文献１の携帯通信端末は、下カバー（２１）に上カバー（２２）が嵌め込まれて構成されるカバー部材の内部に、プリント基板（２３）とバッテリ（３９）が収容されている。下カバー（２１）及び上カバー（２２）には、充電端子（３０）が外部に露出するための端子取付凹部（４１），（４２），（４４），（４５）が設けられている。また、上カバー（２２）には上カバー共締め孔（２２ａ），（２２ｂ）が形成され、プリント基板（２３）には基板共締め孔（２３ａ）が形成され、下カバー（２１）にはネジ穴（２７ａ）が形成されたボス（２７）が形成されている。そして、締め付けネジ（２９）を上カバー共締め孔（２２ａ），（２２ｂ）に挿入し、充電端子（３０）の端子共締め孔（３５）とプリント基板（２３）の基板共締め孔（２３ａ）に貫通させて下カバー（２１）のボス（２７）に螺入させることで、充電端子（３０）が、下カバー（２１）、上カバー（２２）、プリント基板（２３）に固定される。
【先行技術文献】
【特許文献】
【０００４】
【特許文献１】特開２００７−２７３３７５公報
【発明の概要】
【発明が解決しようとする課題】
【０００５】
ところで、充電端子をケース端部に露出させて配置する構成では、充電端子を露出させるため上記特許文献１のようにケース端部に穿孔（端子取付凹部（４１），（４２），（４４），（４５））を設ける必要がある。携帯型情報読取装置はその利便性から屋外や工場等の水気の多い場所で使用されることもあり、防水性能を備えることが望ましい。しかしながら、上記特許文献１では水気の多い場所での使用に対してなんら対策が講じられておらず、充電端子と穿孔の隙間からケース内部に水分が侵入する虞があった。
【０００６】
このように、充電端子がケース端部に露出した携帯型情報読取装置において、防水性を高めようとする場合、例えば、ケース端部に露出する部位以外の充電端子の周りに樹脂を注入し、このインサート成型品を何らかの方法で、密封状態で組み付ける方法などが考えられる。しかしながら、この構成では、ケース端部付近の部品点数が増加したり、組み付け工程が複雑化するなどの懸念があった。
【０００７】
本発明は、上述した課題を解決するためになされたものであり、携帯型情報読取装置において、防水性に優れ、且つ部品点数を効果的に削減し得る構成を提供することを目的とする。
【課題を解決するための手段】
【０００８】
上記目的を達成するため、請求項１の発明は、充電可能な電池と、前記電池を収容するケースと、前記ケースの外部からの電力を前記電池に供給する経路をなす充電端子と、を備えた携帯型情報読取装置であって、前記ケースの外壁部には、前記充電端子が挿し通される挿通孔が形成され、前記充電端子には、板状に構成されると共に少なくとも一部が前記ケースの外部に露出して配置される露出部と、前記露出部に連結されると共に前記ケースの内側に延出して配置される延出部と、が設けられ、前記露出部は、前記ケースの前記外壁部に支持され、且つ当該外壁部の壁面に沿うように板面が配置され、前記延出部は、前記露出部に対して折り曲げられ、前記挿通孔を介して前記ケースの内部に延出しており、前記ケースの外側に、前記挿通孔を閉塞する閉塞部材が配置されていることを特徴とする。
【０００９】
請求項２の発明は、請求項１に記載の携帯型情報読取装置において、前記露出部は、前記挿通孔から前記外壁部の壁面に沿って所定方向に延びており、前記閉塞部材は、前記挿通孔と前記露出部の外周縁とを連続的に覆う構成で配置されていることを特徴とする。
【００１０】
請求項３の発明は、請求項１又は請求項２に記載の携帯型情報読取装置において、前記ケース内には、外部装置との間で光信号を送受信する光通信素子が設けられ、前記ケースの前記外壁部には、前記光信号を通過させる通過孔が形成されており、前記閉塞部材は前記光信号が透過可能な透光部材からなり、且つ前記通過孔を閉塞する構成で配置されており、前記通過孔及び前記閉塞部材を介して前記光信号を前記ケース内外に導出入可能とされていることを特徴とする。
【００１１】
請求項４の発明は、請求項１から請求項３のいずれか一項に記載の携帯型情報読取装置において、前記閉塞部材は、少なくとも前記挿通孔の周囲を取り囲む接着部材を介して前記外壁部と密着していることを特徴とする。
【００１２】
請求項５の発明は、請求項１から請求項４のいずれか一項に記載の携帯型情報読取装置において、前記ケースの前記外壁部は、前記閉塞部材が接着される接着面を備えた被接着部と、前記接着面から凹んだ凹部とを備え、前記凹部内には、前記挿通孔が形成されると共に、前記接着面から段状に奥まった位置に前記露出部を支持する支持面が形成され、前記露出部における前記支持面側とは反対側の板面の位置が、前記接着面の位置と揃えられており、前記露出部の前記反対側の板面と前記接着面とに跨るように前記閉塞部材が接着していることを特徴とする。
【００１３】
請求項６の発明は、請求項１から請求項５のいずれか一項に記載の携帯型情報読取装置において、前記ケースは、前記外壁部における前記露出部を支持する支持部分よりもケース内側において、前記支持部分と向かい合って配置される対向壁部を備え、前記充電端子の前記延出部は、前記露出部に連結される第１延出部と、前記第１延出部に連結される第２延出部とを有し、前記第２延出部は、前記露出部と向かい合うように前記第１延出部に対して折り曲げられ、前記対向壁部における前記露出部側の面に支持されるように配置されていることを特徴とする。
【発明の効果】
【００１４】
請求項１の発明は、ケースの外壁部において、充電端子が挿し通される挿通孔が形成され、充電端子には、板状に構成されると共に少なくとも一部がケースの外部に露出して配置される露出部と、露出部に連結されると共にケースの内側に延出して配置される延出部と、が設けられている。そして、露出部は、ケースの外壁部に支持され、且つ当該外壁部の壁面に沿うように板面が配置され、延出部は、露出部に対して折り曲げられ、挿通孔を介してケースの内部に延出しており、ケースの外側に、挿通孔を閉塞する閉塞部材が配置されている。
このような構成によれば、挿通孔を介して充電端子をケース内外に配置することができ、外部充電装置との接触が容易な構成を実現しつつ、充電装置からの電力をケース内に供給できるようになる。更に、このように挿通孔を形成すると、防水性の低下が懸念されるが、挿通孔の露出部側については、充電端子の一部（露出部）の板面を、ケース外壁部の壁面に沿うように配置して露出部とケース外壁部との密着性を高め、水等の液体が露出部とケース外壁部の間を通ってケース内に入り込むことを抑えることができる。また、挿通孔において露出部側以外の領域については閉塞部材によって閉塞され、この領域からも水等の液体が入り込みにくくなるため、部品点数を増大させることなく挿通孔付近の防水性を効果的に高めることができる。
【００１５】
請求項２の発明では、露出部が、挿通孔から外壁部の壁面に沿って所定方向に延びており、閉塞部材は、挿通孔と露出部の外周縁とを連続的に覆う構成で配置されている。この構成によれば、挿通孔及び露出部を一体的に覆う構成で閉塞部材を配置することができるため、閉塞部材を複雑化することなく、防水性の高い閉塞構造を実現できる。特に、挿通孔における露出部側では、露出部とケース外壁部との密着性を高めつつ、更にその露出部の外周縁付近からの液体の浸入をより確実に遮断することができるため、露出部付近の防水性をより一層高めることができる。
【００１６】
請求項３の発明では、ケース内において、外部装置との間で光信号を送受信する光通信素子が設けられ、ケースの外壁部には、光信号を通過させる通過孔が形成されている。そして、閉塞部材は光信号が透過可能な透光部材からなり、且つ通過孔を閉塞する構成で配置されており、通過孔及び閉塞部材を介して光信号をケース内外に導出入可能とされている。この構成によれば、充電端子が設けられた側においてケース内外で光信号の送受信が可能となる。更に、閉塞部材が透光部材として構成され、光信号を通過させる通過孔を閉塞する部材としても兼用されているため、充電端子側で光通信が可能であり且つ防水性を十分確保し得る構成を、部品点数をより少なく抑えて実現できる。
【００１７】
請求項４の発明では、閉塞部材が、少なくとも挿通孔の周囲を取り囲む接着部材を介して外壁部と密着している。このようにすると、閉塞部材によって挿通孔を閉塞しつつ、挿通孔の周囲を取り囲むように密着性の高い領域を設けることができるため、挿通孔の周囲において閉塞部材と外壁部との間の隙間から水等の液体が浸入することを確実に遮断することができ、防水性の更なる向上が可能となる。
【００１８】
請求項５の発明では、ケースの外壁部が、閉塞部材が接着される接着面を備えた被接着部と、接着面から凹んだ凹部とを備えており、凹部内には、挿通孔が形成されると共に、接着面から段状に奥まった位置に露出部を支持する支持面が形成されている。そして、露出部における支持面側とは反対側の板面の位置が、接着面の位置と揃えられており、露出部の反対側の板面と接着面とに跨るように閉塞部材が接着している。この構成によれば、凹部内に配される露出部の外面（支持面側とは反対側の板面）とその外側の接着面とが段差なく配置されることになり、これらに跨るように閉塞部材が接着されたときに、閉塞部とケース外壁部の間、或いは閉塞部と露出部の間に隙間が生じにくくなる。従って、露出部の外周縁７１ａ及びその外側のケース外壁部付近において閉塞部材を隙間なく確実に接着することができ、防滴性能の一層の安定化を図ることができる。
【００１９】
請求項６の発明は、ケースにおいて、外壁部における露出部を支持する支持部分よりもケース内側において、支持部分と向かい合って配置される対向壁部が設けられている。そして、充電端子の延出部は、露出部に連結される第１延出部と、第１延出部に連結される第２延出部とを有し、第２延出部は、露出部と向かい合うように第１延出部に対して折り曲げられ、対向壁部における露出部側の面に支持されるように配置されている。
この構成によれば、ケースの外壁部だけでなく、ケース内の対向壁部によっても充電端子を支持することができるため、ケース内外において、充電端子を適切な位置に配置し易くなり、且つ、より安定的に固定し易くなる。
【図面の簡単な説明】
【００２０】
【図１】図１は、第１実施形態に係る携帯型情報読取装置を概略的に例示する平面図である。
【図２】図２は、図１のＡ−Ａ断面図である。
【図３】図３（Ａ）は、図１の携帯型情報読取装置の電気的構成を概略的に例示するブロック図である。図３（Ｂ）は、情報コード読取部の構成を例示するブロック図である。
【図４】図４は、図２の充電端子付近を拡大して示す断面図である。
【図５】図５は、図１から上ケース及び基板を取り外した状態の充電端子付近の構成を例示する平面図である。
【図６】図６（Ａ）は、充電端子の正面図であり、図６（Ｂ）は、図６（Ａ）の充電端子の右側面図であり、図６（Ｃ）は、図６（Ａ）の充電端子の斜視図である。
【図７】図７は、充電端子付近の構成を概略的に例示する説明図であり、図７（Ａ）は、充電端子が配置される前の状態の図であり、図７（Ｂ）は、図７（Ａ）の状態から充電端子が挿通孔に挿し通された図であり、図７（Ｃ）は、図７（Ｂ）の状態から接着部材が接着面に接着された図であり、図７（Ｄ）は、図７（Ｃ）の状態から閉塞部材が接着部材に接着された図である。
【発明を実施するための形態】
【００２１】
[第１実施形態]
以下、本発明の携帯型情報読取装置を具現化した第１実施形態について、図面を参照して説明する。
（全体構成）
まず、図１〜図３等を参照して第１実施形態に係る携帯型情報読取装置１の全体構成について説明する。なお、図１は、第１実施形態に係る携帯型情報読取装置を概略的に例示する平面図である。また、図２は、図１のＡ−Ａ断面図である。図３（Ａ）は、図１の携帯型情報読取装置の電気的構成を概略的に例示するブロック図であり、図３（Ｂ）は、情報コード読取部の構成を例示するブロック図である。
【００２２】
図１に示す携帯型情報読取装置１は、ユーザによって携帯されて様々な場所で用いられるものであり、バーコードや二次元コードなどの情報コードを読み取る情報コードリーダとしての機能を有している。
【００２３】
図１及び図２に示すように、携帯型情報読取装置１は、全体的に長手状に構成されており、長手状のケース５０によって外郭が構成され、このケース５０の内部に各種部品（各種電気部品等）が収容されている。ケース５０は、主に上ケース５１と下ケース５２とから構成され、箱状形態をなしており、例えば樹脂材料などから形成されている。また、下ケース５２には電池１７を収容する電池収容部を開閉するための着脱可能な電池蓋６０が設けられている。
本実施形態では、ケース５０の長手方向を前後方向とし、読取口５が形成された側を前方側、それとは反対側を後方側としている。また、ケース５０の厚さ方向を上下方向とし、操作ボタン１４ａや表示装置１１が設けられた側を上方側、それとは反対側を下方側としている。また、これら前後方向及び上下方向と直交する方向を幅方向（横方向）としている。なお、図１、図２等では前後方向をＸ軸方向として示しており、上下方向をＹ軸方向として示している。また、幅方向（横方向）をＺ軸方向として示している。
【００２４】
ケース５０の前方側には情報コードからの反射光を取り込む読取口５が形成されている。この読取口５は、ケース５０の内部に光を取り込みうる開口形状となっており、その開口が透明部材（例えば透明の樹脂部材）によって閉塞された構成をなしている。また、携帯型情報読取装置１には、ケース５０から露出する形態で様々な部品が設けられている。例えば、上面側には、表示装置１１や、複数個の操作ボタン１４ａ（数字キーや機能キー等）を有するキー操作部１４が設けられており、側面側には、読取指示用のトリガスイッチ１３などが設けられている。
【００２５】
次に、電気的構成について説明する。携帯型情報読取装置１におけるケース５０の内部には、図３（Ａ）に示すように、携帯型情報読取装置１全体を制御する制御部１０が設けられている。この制御部１０は、マイコンを主体として構成されるものであり、ＣＰＵ、システムバス、入出力インタフェース等を有しており、メモリ１６と協働して情報処理手段として機能している。また、制御部１０には、表示装置１１、スピーカ１２、トリガスイッチ１３、キー操作部１４、外部インターフェース１５なども接続されている。
【００２６】
トリガスイッチ１３やキー操作部１４は、制御部１０に対して操作信号を与える構成をなしており、制御部１０は、これらからの操作信号を受けて操作信号の内容に応じた各種制御を行う。表示装置１１は、例えば液晶表示器として構成されており、制御部１０からの指令を受けて様々な表示動作が行われるようになっている。外部インターフェース１５は、外部（例えばホスト装置）との間でのデータ通信を行うためのインターフェースとして構成されており、制御部１０と協働して通信処理を行うように構成されている。また、ケース５０内には、電源となる電池１７や電源部１８が設けられている。電池１７は、充電可能な二次電池（例えばリチウムイオン電池等）によって構成され、電源部１８は、公知の電源回路などによって構成されており、これらによって制御部１０や各種電気部品に電力が供給されるようになっている。
【００２７】
また、制御部１０には、情報コード読取部３０が接続されている。この情報コード読取部３０は、図３（Ｂ）に示すように、ＣＣＤエリアセンサ等の受光センサ３３、結像レンズ３７、複数個のＬＥＤやレンズ等から構成される照明部３１などを備えた構成をなしており、制御部１０と協働して読取対象Ｒに付された情報コードＣ（バーコードや二次元コード）を読み取るように機能する。この情報コード読取部３０によって読み取りを行う場合、まず、制御部１０によって指令を受けた照明部３１から照明光Ｌｆが出射され、この照明光Ｌｆが読取口５（図２）を通って読取対象Ｒに照射される。そして、照明光Ｌｆが情報コードＣ（バーコードや二次元コード）にて反射した反射光Ｌｒは、読取口５を通って装置内に取り込まれ、結像レンズ３７を通って受光センサ３３に入射する。読取口５と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ１６（図３（Ａ））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００２８】
更に、制御部１０には、ＩｒＤＡ部２０が接続されている。このＩｒＤＡ部２０は、規格化された公知のＩｒＤＡ通信方式で光無線データ通信を行うインターフェースとして構成されており、発光素子及び受光素子を有する光通信素子４１（ＩｒＤＡ通信モジュール）が基板４０上に実装された構成をなしている。また、光通信素子４１は、図示しない外部装置（ＩｒＤＡ通信部を備えた他の携帯端末やＩｒＤＡ通信機能を備えた充電装置等）との間で光信号（例えば赤外光信号）を送受信する機能を有しており、ケース５０の外壁５３に設けられる通過孔５５（後述）と対向する位置に配置されている。  
【００２９】
（特徴的構成）
次に、図２〜図７等を参照し、本実施形態の特徴的構成について詳述する。
なお、図４は、図２の充電端子付近を拡大して示す断面図である。図５は、図１から上ケース及び基板を取り外した状態を例示する平面図である。図６（Ａ）は、充電端子の正面図であり、図６（Ｂ）は、図６（Ａ）の充電端子の右側面図であり、図６（Ｃ）は、図６（Ａ）の充電端子の斜視図である。図７は、充電端子付近の構成を概略的に例示すると共に、充電端子及び閉塞部材の取り付け工程を説明する説明図である。図７（Ａ）は、充電端子が挿通孔に挿し通される前の状態の図であり、図７（Ｂ）は、図７（Ａ）の状態から充電端子が挿通孔に挿し通され、挿通孔内外に配置された様子を示す説明図である。図７（Ｃ）は、図７（Ｂ）の状態から、更に接着部材が接着面に接着された様子を示す説明図であり、図７（Ｄ）は、図７（Ｃ）の状態から、閉塞部材が接着部材に接着された様子を示す説明図である。
【００３０】
本実施形態に係る携帯型情報読取装置１は、図２に示すように、ケース５０内において長手方向一方側寄りに充電可能な電池１７を備えている。また、下ケース５２の長手方向において電池１７が配置された側の一端には、１対の充電端子７０が設けられている。そして、充電端子７０を介して、ケース５０の外部から電力が電池１７に供給されるようになっている。さらに、ケース５０内には、当該ケース５０の長手方向（前後方向）における電池１７とキー操作部１４の間の位置に、上述の基板４０が配置されている。基板４０は、ケース５０の長手方向一方側であって（長手方向において電池１７や充電端子７０が設けられた側）ケース５０の長手方向に沿うように板面が配置され、上下方向を板厚方向とする構成となっている。なお、図４では、電池１７を概略的に示している。
【００３１】
ケース５０は、上ケース５１及び下ケース５２のいずれも、一方側が開放した箱状形態をなしており、これら上ケース５１及び下ケース５２の開放側を接合する形態で組み付けられた構成をなしている。このケース５０は、外壁部５３により外郭が構成されており、図４及び図７（後述）に示すように、下ケース５２側の外壁部５３には、充電端子７０が挿し通される挿通孔５４が左右に対をなして１対形成されている。図７（Ａ）のように、挿通孔５４，５４のいずれも、外壁部５３を貫通する構成で左右に細長に形成されており、いずれも、後述する凹部５７の一端寄りに配置されている。より詳しくは、挿通孔５４，５４のいずれも、矩形状に構成された凹部５７，５７のそれぞれの下端縁に沿って長手状に形成されている。
【００３２】
そして、図４、図５、図７（Ｂ）〜（Ｄ）に示すように、下ケース５２の外壁部５３に形成された挿通孔５４から、充電端子７０の露出部７１が、その一部を外部に露出する構成で配置されており、この露出部７１が充電器等に設けられる外部端子（図示略）と電気的に接触することで、外部から電池１７に電力が供給されるようになっている。なお、本実施形態に係る携帯型情報読取装置１を充電する充電器は、充電端子７０と接触可能な外部端子を介して当該携帯型情報読取装置１に充電電流を供給可能な構成であれば公知の様々な構成を用いることができる。
【００３３】
また、ケース５０の外壁部５３には、挿通孔５４を閉塞する閉塞部材８０が接着されるための接着面５６ａを備えた被接着部５６が形成されている。この被接着部５６は、下ケース５０の外壁部５３における一端部（具体的には下ケース５０の長手方向における充電端子７０側の一端部）として構成されるものであり、一対の凹部５７，５７や通過孔５５を取り囲む構成で配置され、その外面（接着面５６ａ）が平坦に構成されている。そして、その平坦な接着面５６ａに接着される構成で、被接着部５６に対して閉塞部材８０が固定されている。なお、本実施形態では、接着面５６ａがほぼ前後方向と直交するように被接着部５６が形成されている。
【００３４】
さらに、下ケース５２の外壁部５３には、接着面５６ａから凹んだ構成で凹部５７が形成されている。この凹部は、被接着部５６から若干窪んだ穴として構成されており、接着面５６ａから段状に奥まった底部位置には、露出部７１を支持する支持面５８が形成されている。そして、凹部５７内において、支持面５８の一端側（下端側）には上述した挿通孔５４が形成されており、この挿通孔５４を通るように充電端子７０が配置されている。充電端子７０は、前後方向に延びる第１延出部７３に対して、上下方向に延びる露出部７１が挿通孔５４付近で折り曲げられる構成をなしており、板状の露出部７１は、その板面を支持面５８に当接させる構成で当該支持面５８に沿って配置されている。
【００３５】
この支持面５８は、接着面５６ａとほぼ平行に構成され、ケース５０の前後方向とほぼ直交する構成をなしており、当該支持面５８に沿って露出部７１が配置されたとき（図４等）、露出部７１における支持面５８側とは反対側の板面の位置が、接着面５６ａの位置と揃う位置に形成されている。より詳しくは、接着面５６ａを通る仮想平面と略同一平面上に、露出部７１における支持面５８側とは反対側の板面が配置されるようになっている。  
【００３６】
さらに、ケース５０には、支持面５８よりもさらにケース５０の内側において、支持面５８と向かい合う構成で対向壁部５９が形成されている。この対向壁部５９は、図４に示すように、下ケース５２の下方側から上方側に突出して形成されている。この対向壁部５９の上端部は、基板４０の下面に隣接しており、対向壁部５９の板面は、ケース５０の前後方向と略直交する構成で配置されている。そして、このように構成される対向壁部５９の後方側の板面によって充電端子７０の第２延出部７４が支持されるように構成されている。充電端子７０は、前後方向に延びる第１延出部７３に対し、第２延出部７４が略直角に折り曲げられ、この第２延出部７４が第１延出部７３の前端部から上方側に突出する形態で上下方向に延びている。このように構成される第２延出部７４が対向壁部５９の板面に当接する構成で支持されている。
【００３７】
また、ケース５０内には、上述したように、外部装置との間で光信号を送受信する光通信素子４１が設けられており、下ケース５２の外壁部５３には、当該外壁部５３を前後に貫通する構成で光信号を通過させる通過孔５５が形成されている（図７参照）。具体的には、図７に示すように、左右一対で配置される凹部５７，５７の幅方向中間位置に通過孔５５が形成されており、この通過孔５５の前方に隣接する構成で光通信素子４１が基板４０に実装されている。そしてこの通過孔５５を閉塞する構成で、光透過性の閉塞部材８０が配置されている。このように構成されることで、当該読取装置１は、通過孔５５及び閉塞部材８０（後述）を介して光信号をケース５０内外に導出入し得るようになっている。
【００３８】
充電端子７０は、金属板材によって構成（例えば板金加工などによって構成）されており、図６に示すように、露出部７１と第１延出部７３及び第２延出部７４とが一体的に連結した構成をなしている。なお、図６では、１対のうちの一方の充電端子７０のみを説明し、他方の充電端子は、当該一方の充電端子７０とほぼ左右対称形状をなしているため、詳細な説明は省略する。
【００３９】
露出部７１は、図４に示すように、挿通孔５４から一部が外部に露出すると共に、挿通孔５４から外壁部５３の壁面に沿って所定方向（上下方向）に延びるように下ケース５２に取り付けられている。また、露出部７１は、下ケース５２の凹部５７内に収容され、露出する側とは反対側の板面が支持面５８に当接して支持されている。そして、上述したように、露出部７１の露出する側の板面（支持面５８側とは反対側の板面）の延長面（当該板面を含む仮想平面）上に下ケース５２の接着面５６ａが配置されるように構成されている。
【００４０】
第１延出部７３は、露出部７１とのなす角度が略９０度となるように、露出部７１に対して折り曲げられて形成されている。また、第１延出部７３は、露出部７１と同程度の長さになる所定の位置で折り曲げられている。そして、挿通孔５４を介してケース５０の内部に延出するように配置されている。
【００４１】
第２延出部７４は、露出部７１と向かい合うと共に、第１延出部７３とのなす角度が９０度よりも若干大きくなるように第１延出部７３に対して折り曲げられて形成されている。このように、第２延出部７４と第１延出部７３とのなす角度が９０度よりも若干大きくなるように設定されることで、第２延出部７４が対向壁部５９に確実に支持されやすい構成となる。また、第２延出部７４の上端部一側には、露出部７１とは反対側に、上方へ延伸する延伸部７５が当該第２延出部７４と一体的に形成されている。そして、充電端子７０がケース５０内に配置されると、この延伸部７５は、基板４０と電気的に接続されるように構成されている。
【００４２】
閉塞部材８０は、光信号が透過可能な透光部材（例えば樹脂材料など）によって構成されており、ケース５０の外壁部５３に形成される被接着部５６に収まる程度の大きさに形成されている。そして、閉塞部材８０は、図４に示すように、接着部材８２を介して被接着部５６の接着面５６ａに接着されている。接着部材８２は、後述する図７（Ｃ）のように、一対の挿通孔５４，５４のいずれの周囲をも取り囲む構成で配置されており、閉塞部材８０は、一対の挿通孔５４，５４及び通過孔５５の全体に跨る構成でこれら全部を閉塞しており、前記接着部材８２を介して外壁部５３と密着している。なお、本実施形態では、接着部材８２として、両面テープを用いている。両面テープは、防水性を有しており、充電端子７０と外壁部５３との段差を吸収できる程度の厚さであることが好ましく、発泡ウレタン等から形成されたものを用いることができる。
【００４３】
次に、ケース５０に対する充電端子７０及び閉塞部材８０の組み付けについて説明する。まず、図７（Ａ）のような状態（充電端子７０、接着部材８２、閉塞部材８０が取り付けられていない状態）から、下ケース５２の内側から挿通孔５４を介して充電端子７０の露出部７１側が挿し通され、当該露出部７１が支持面５８に支持されるように配置される（図７（Ｂ））。これと同時に、第２延出部７４が下ケース５２の対向壁部５９に支持されるように配置される。この状態では、露出部７１における支持面５８側とは反対側の板面全てが下ケース５２の外部に露出している。なお、図７において、光通信素子４１については、説明の便宜上、点線で示している。そして、図７（Ｃ）に示すように、挿通孔５４と露出部７１の外周縁７１ａとを連続的に覆う構成で、接着面５６ａの形状に合わせて予め加工された接着部材８２が接着面５６ａに貼付される。さらに、図７（Ｄ）に示すように、露出部７１における支持面５８側とは反対側の板面と接着面５６ａとに跨るように閉塞部材８０が接着部材８２に接着されて外壁部５３と密着し、これにより、両挿通孔５４，５４の全体と通過孔５５の全体が閉塞されることとなる。
【００４４】
以上説明したように、本第１実施形態に係る携帯型情報読取装置１では、ケース５０の外壁部５３において、充電端子７０が挿し通される挿通孔５４が形成され、充電端子７０には、板状に構成されると共に少なくとも一部がケース５０の外部に露出して配置される露出部７１と、露出部７１に連結されると共にケース５０の内側に延出して配置される延出部と、が設けられている。そして、露出部７１は、ケース５０の外壁部５３に支持され、且つ当該外壁部５３の壁面に沿うように板面が配置され、延出部は、露出部７１に対して折り曲げられ、挿通孔５４を介してケース５０の内部に延出しており、ケース５０の外側に、挿通孔５４を閉塞する閉塞部材８０が配置されている。
このような構成によれば、挿通孔５４を介して充電端子７０をケース５０内外に配置することができ、外部充電装置との接触が容易な構成を実現しつつ、充電装置からの電力をケース５０内に供給できるようになる。更に、このように挿通孔５４を形成すると、防水性の低下が懸念されるが、挿通孔５４の露出部７１側については、充電端子７０の一部（露出部７１）の板面を、ケース外壁部５３の壁面に沿うように配置して露出部７１とケース外壁部５３との密着性を高め、水等の液体が露出部７１とケース外壁部５３の間を通ってケース５０内に入り込むことを抑えることができる。また、挿通孔５４において露出部７１側以外の領域については閉塞部材８０によって閉塞され、この領域からも水等の液体が入り込みにくくなるため、部品点数を増大させることなく挿通孔５４付近の防水性を効果的に高めることができる。
【００４５】
更に、露出部７１が、挿通孔５４から外壁部５３の壁面に沿って所定方向に延びており、閉塞部材８０は、挿通孔５４と露出部７１の外周縁７１ａとを連続的に覆う構成で配置されている。この構成によれば、挿通孔５４及び露出部７１を一体的に覆う構成で閉塞部材８０を配置することができるため、閉塞部材８０を複雑化することなく、防水性の高い閉塞構造を実現できる。特に、挿通孔５４における露出部７１側では、露出部７１とケース外壁部５３との密着性を高めつつ、更にその露出部７１の外周縁７１ａ付近からの液体の浸入をより確実に遮断することができるため、露出部７１付近の防水性をより一層高めることができる。
【００４６】
更に、ケース５０内において、外部装置との間で光信号を送受信する光通信素子４１が設けられ、ケース５０の外壁部５３には、光信号を通過させる通過孔５５が形成されている。そして、閉塞部材８０は光信号が透過可能な透光部材からなり、且つ通過孔５５を閉塞する構成で配置されており、通過孔５５及び閉塞部材８０を介して光信号をケース５０内外に導出入可能とされている。この構成によれば、充電端子７０が設けられた側においてケース５０内外で光信号の送受信が可能となる。更に、閉塞部材８０が透光部材として構成され、光信号を通過させる通過孔５５を閉塞する部材としても兼用されているため、充電端子７０側で光通信が可能であり且つ防水性を十分確保し得る構成を、部品点数をより少なく抑えて実現できる。
【００４７】
更に、閉塞部材８０が、少なくとも挿通孔５４の周囲を取り囲む接着部材８２を介して外壁部５３と密着している。このようにすると、閉塞部材８０によって挿通孔５４を閉塞しつつ、挿通孔５４の周囲を取り囲むように密着性の高い領域を設けることができるため、挿通孔５４の周囲において閉塞部材８０と外壁部５３との間の隙間から水等の液体が浸入することを確実に遮断することができ、防水性の更なる向上が可能となる。
【００４８】
また、ケース５０の外壁部５３が、閉塞部材８０が接着される接着面５６ａを備えた被接着部５６と、接着面５６ａから凹んだ凹部５７とを備えており、凹部５７内には、挿通孔５４が形成されると共に、接着面５６ａから段状に奥まった位置に露出部７１を支持する支持面５８が形成されている。そして、露出部７１における支持面５８側とは反対側の板面の位置が、接着面５６ａの位置と揃えられており、露出部７１の反対側の板面と接着面５６ａとに跨るように閉塞部材８０が接着している。この構成によれば、凹部５７内に配される露出部７１の外面（支持面５８側とは反対側の板面）とその外側の接着面５６ａとが段差なく配置されることになり、これらに跨るように閉塞部材８０が接着されたときに、閉塞部とケース外壁部５３の間、或いは閉塞部と露出部７１の間に隙間が生じにくくなる。従って、露出部７１の外周縁７１ａ及びその外側のケース外壁部５３付近において閉塞部材８０を隙間なく確実に接着することができ、防滴性能の一層の安定化を図ることができる。
【００４９】
更に、ケース５０において、外壁部５３における露出部７１を支持する支持部分よりもケース５０内側において、支持部分と向かい合って配置される対向壁部５９が設けられている。そして、充電端子７０の延出部は、露出部７１に連結される第１延出部７３と、第１延出部７３に連結される第２延出部７４とを有し、第２延出部７４は、露出部７１と向かい合うように第１延出部７３に対して折り曲げられ、対向壁部５９における露出部７１側の面に支持されるように配置されている。
この構成によれば、ケース５０の外壁部５３だけでなく、ケース５０内の対向壁部５９によっても充電端子７０を支持することができるため、ケース５０内外において、充電端子７０を適切な位置に配置し易くなり、且つ、より安定的に固定し易くなる。
【００５０】
［他の実施形態]
本発明は上記記述及び図面によって説明した実施形態に限定されるものではなく、例えば次のような実施形態も本発明の技術的範囲に含まれる。
【００５１】
上記実施形態では、充電端子７０の露出部７１がケース５０の外壁部５３に直接支持される構成を示したが、露出部７１と外壁部５３との間に接着部材８２等の部材を介在させてもよい。
【００５２】
上記実施形態では、閉塞部材８０が透光部材から構成される例を示したが、閉塞部材８０とは別体で透光部材を設けるようにしてもよい。
【００５３】
上記実施形態では、接着部材８２として両面テープを用い接着面５６ａに貼付する構成を例示したが、これに限らず、例えば、接着部材として接着剤を用い接触面５６ａに塗布する構成としてもよい。
【符号の説明】
【００５４】
１…携帯型情報読取装置
１７…電池
４１…光通信素子
５０…ケース
５１…上ケース
５２…下ケース
５３…外壁部
５４…挿通孔
５５…通過孔
５６…被接着部
５６ａ…接着面
５７…凹部
５８…支持面
５９…対向壁部
７０…充電端子
７１…露出部
７１ａ…外周縁（露出部の外周縁）
７３…第１延出部（延出部）
７４…第２延出部（延出部）
８０…閉塞部材
８２…接着部材
【図１】
2011248825.tif 000003
【図２】
2011248825.tif 000004
【図３】
2011248825.tif 000005
【図４】
2011248825.tif 000006
【図５】
2011248825.tif 000007
【図６】
2011248825.tif 000008
【図７】
2011248825.tif 000009